【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
通信システムで第１トランシーバーと第２トランシーバーとの間の制御チャネル構成方法であって、
前記第１トランシーバーが制御チャネルの情報を含むシグナリングメッセージを生成するステップと、
前記第１トランシーバーが前記制御チャネルの情報を含むシグナリングメッセージを前記第２トランシーバーに送信するステップと、
前記第１トランシーバーが前記制御チャネルの情報に基づいて制御チャネルを生成するステップと、
前記第１トランシーバーが前記生成された制御チャネルを前記第２トランシーバーに送信するステップと、
を含んで、
前記制御チャネルの情報は、リソース割当情報、インターリービングオン／オフ及び基準信号のタイプと関連する情報を含む方法。
【請求項２】
前記リソース割当情報は、前記第２トランシーバーが制御チャネルの復調を試みるリソース領域を指示する情報を含むことを特徴とする請求項１に記載の方法。
【請求項３】
前記リソース割当情報は、少なくとも一つのリソースブロックまたは少なくとも一つのリソースブロックセットを指示する情報を含むことを特徴とする請求項１に記載の方法。
【請求項４】
前記リソース割当情報は、リソース割当がｌｏｃａｌｉｚｅｄタイプまたはｄｉｓｔｒｉｂｕｔｅｄタイプであることを指示する情報を含むことを特徴とする請求項１に記載の方法。
【請求項５】
前記インターリービングオン／オフ及び基準信号のタイプと関連する情報は、インターリービング及びＣＲＳ、または、非インターリービング及びＣＲＳ、または、非インターリービング及びＤＭＲＳのうち一つを指示する情報を含むことを特徴とする請求項１に記載の方法。
【請求項６】
前記基準信号は、前記制御チャネルの復調のために使用されることを特徴とする請求項１に記載の方法。
【請求項７】
リソース割当情報が少なくとも二つの第２トランシーバーで同一であれば、インターリービングオン／オフ及び基準信号のタイプと関連する情報は、前記少なくとも二つの第２トランシーバーで同一であることを特徴とする請求項１に記載の方法。
【請求項８】
前記インターリービングは、ＲＥＧレベルまたはＣＣＥレベルまたはＲＢレベルのインターリービングであることを特徴とする請求項１に記載の方法。
【請求項９】
リソース割当情報のｓｅａｒｃｈ  ｓｐａｃｅは、唯一であることを特徴とする請求項１に記載の方法。
【請求項１０】
リソース割当情報のｓｅａｒｃｈ  ｓｐａｃｅは、前記リソース割当情報の前記第２トランシーバーに依存することを特徴とする請求項１に記載の方法。
【請求項１１】
通信システムで第１トランシーバーと第２トランシーバーとの間の制御チャネル構成方法であって、
前記第２トランシーバーが前記第１トランシーバーによって生成された制御チャネルの情報を含むシグナリングメッセージを受信するステップと、
前記第２トランシーバーが前記シグナリングメッセージに基づいて前記制御チャネルの情報を識別するステップと、
前記第２トランシーバーが前記制御チャネルの情報に基づいて前記第１トランシーバーによって生成された制御チャネルを受信するステップと、
を含んで、
前記制御チャネルの情報は、リソース割当情報、インターリービングオン／オフ及び基準信号のタイプと関連する情報を含む方法。
【請求項１２】
前記リソース割当情報は、前記第２トランシーバーが制御チャネルの復調を試みるリソース領域を指示する情報を含むことを特徴とする請求項１１に記載の方法。
【請求項１３】
前記リソース割当情報は、少なくとも一つのリソースブロックまたは少なくとも一つのリソースブロックセットを指示する情報を含むことを特徴とする請求項１１に記載の方法。
【請求項１４】
前記リソース割当情報は、リソース割当がｌｏｃａｌｉｚｅｄタイプまたはｄｉｓｔｒｉｂｕｔｅｄタイプであることを指示する情報を含むことを特徴とする請求項１１に記載の方法。
【請求項１５】
前記インターリービングオン／オフ及び基準信号のタイプと関連する情報は、インターリービング及びＣＲＳ、または、非インターリービング及びＣＲＳ、または、非インターリービング及びＤＭＲＳのうち一つを指示する情報を含むことを特徴とする請求項１１に記載の方法。
【請求項１６】
前記基準信号は、前記制御チャネルの復調のために使用されることを特徴とする請求項１１に記載の方法。
【請求項１７】
リソース割当情報が少なくとも二つの第２トランシーバーで同一であれば、インターリービングオン／オフ及び基準信号タイプと関連する情報は、前記少なくとも二つの第２トランシーバーで同一であることを特徴とする請求項１１に記載の方法。
【請求項１８】
前記インターリービングは、ＲＥＧレベルまたはＣＣＥレベルまたはＲＢレベルのインターリービングであることを特徴とする請求項１１に記載の方法。
【請求項１９】
リソース割当情報のｓｅａｒｃｈ  ｓｐａｃｅは、唯一であることを特徴とする請求項１１に記載の方法。
【請求項２０】
リソース割当情報のｓｅａｒｃｈ  ｓｐａｃｅは、前記リソース割当情報の前記第２トランシーバーに依存することを特徴とする請求項１１に記載の方法。
【請求項２１】
通信システムで第１トランシーバーと第２トランシーバーとの間の制御チャネル構成装置であって、
制御チャネルの情報を含むシグナリングメッセージを生成する上位シグナリング生成器と、
前記制御チャネルの情報を含む前記シグナリングメッセージを前記第２トランシーバーに送信するデータチャネル生成器と、
前記制御チャネルの情報に基づいて制御チャネルを生成する制御チャネル信号生成器と、
前記生成された制御チャネルを前記第２トランシーバーに送信する制御チャネル生成器と、
を含んで、
前記制御チャネルの情報は、リソース割当情報、インターリービングオン／オフ及び基準信号のタイプと関連する情報を含む装置。
【請求項２２】
前記リソース割当情報は、前記第２トランシーバーが制御チャネルの復調を試みるリソース領域を指示する情報を含むことを特徴とする請求項２１に記載の装置。
【請求項２３】
前記リソース割当情報は、少なくとも一つのリソースブロックまたは少なくとも一つのリソースブロックセットを指示する情報を含むことを特徴とする請求項２１に記載の装置。
【請求項２４】
前記リソース割当情報は、リソース割当がｌｏｃａｌｉｚｅｄタイプまたはｄｉｓｔｒｉｂｕｔｅｄタイプであることを指示する情報を含むことを特徴とする請求項２１に記載の装置。
【請求項２５】
前記インターリービングオン／オフ及び基準信号のタイプと関連する情報は、インターリービング及びＣＲＳ、または、非インターリービング及びＣＲＳ、または、非インターリービング及びＤＭＲＳのうち一つを指示する情報を含むことを特徴とする請求項２１に記載の装置。
【請求項２６】
前記基準信号は、前記制御チャネルの復調のために使用されることを特徴とする請求項２１に記載の装置。
【請求項２７】
リソース割当情報が少なくとも二つの第２トランシーバーで同一であれば、インターリービングオン／オフ及び基準信号のタイプと関連する情報は、前記少なくとも二つの第２トランシーバーで同一であることを特徴とする請求項２１に記載の装置。
【請求項２８】
前記インターリービングは、ＲＥＧレベルまたはＣＣＥレベルまたはＲＢレベルのインターリービングであることを特徴とする請求項２１に記載の装置。
【請求項２９】
リソース割当情報のｓｅａｒｃｈ  ｓｐａｃｅは、唯一であることを特徴とする請求項２１に記載の装置。
【請求項３０】
リソース割当情報のｓｅａｒｃｈ  ｓｐａｃｅは、前記リソース割当情報の前記第２トランシーバーに依存することを特徴とする請求項２１に記載の装置。
【請求項３１】
通信システムで第１トランシーバーと第２トランシーバーとの間の制御チャネル構成装置であって、
前記第１トランシーバーによって生成された制御チャネルの情報を含むシグナリングメッセージを受信するデータチャネル受信機と、
前記シグナリングメッセージに基づいて前記制御チャネルの情報を識別する制御器と、
前記制御チャネルの情報に基づいて前記第１トランシーバーによって生成された制御チャネルを受信する制御チャネル受信機と、
を含んで、
前記制御チャネルの情報は、リソース割当情報、インターリービングオン／オフ及び基準信号のタイプと関連する情報を含む装置。
【請求項３２】
前記リソース割当情報は、前記第２トランシーバーが制御チャネルの復調を試みるリソース領域を指示する情報を含むことを特徴とする請求項３１に記載の装置。
【請求項３３】
前記リソース割当情報は、少なくとも一つのリソースブロックまたは少なくとも一つのリソースブロックセットを指示する情報を含むことを特徴とする請求項３１に記載の装置。
【請求項３４】
前記リソース割当情報は、リソース割当がｌｏｃａｌｉｚｅｄタイプまたはｄｉｓｔｒｉｂｕｔｅｄタイプであることを指示する情報を含むことを特徴とする請求項３１に記載の装置。
【請求項３５】
前記インターリービングオン／オフ及び基準信号のタイプと関連する情報は、インターリービング及びＣＲＳ、または、非インターリービング及びＣＲＳ、または、非インターリービング及びＤＭＲＳのうち一つを指示する情報を含むことを特徴とする請求項３１に記載の装置。
【請求項３６】
前記基準信号は、前記制御チャネルの復調のために使用されることを特徴とする請求項３１に記載の装置。
【請求項３７】
リソース割当情報が少なくとも二つの第２トランシーバーで同一であれば、インターリービングオン／オフ及び基準信号タイプと関連する情報は、前記少なくとも二つの第２トランシーバーで同一であることを特徴とする請求項３１に記載の装置。
【請求項３８】
前記インターリービングは、ＲＥＧレベルまたはＣＣＥレベルまたはＲＢレベルのインターリービングであることを特徴とする請求項３１に記載の装置。
【請求項３９】
リソース割当情報のｓｅａｒｃｈ  ｓｐａｃｅは、唯一であることを特徴とする請求項３１に記載の装置。
【請求項４０】
リソース割当情報のｓｅａｒｃｈ  ｓｐａｃｅは、前記リソース割当情報の前記第２トランシーバーに依存することを特徴とする請求項３１に記載の装置。